(57)【特許請求の範囲】
【請求項１】
被写体の画像信号を生成するイメージセンサ及び該画像信号を表示する表示デバイスを備えた撮像装置において、
撮影モードに応じて前記表示デバイスの動作パラメータを切り替えるパラメータ切り替え手段を有し、
該パラメータ切り替え手段は、少なくとも、前記イメージセンサにより生成された画像信号に基づく前記表示デバイスによる画像表示を見栄え重視にする第１パラメータと、当該画像表示を再現性重視にする第２パラメータとに切り替え可能に構成されていることを特徴とする撮像装置。
【請求項２】
前記パラメータ切り替え手段は、前記撮像装置の撮影条件を手動調節するマニュアル撮影モードの際に、前記第２パラメータに切り替えることを特徴とする請求項１記載の撮像装置。
【請求項３】
前記パラメータ切り替え手段は、ストロボの発光を伴う撮影モードの際に、前記第１パラメータに切り替え、ストロボの発光を伴わない撮影モードの際に、前記第２パラメータに切り替えることを特徴とする請求項１記載の撮像装置。
【請求項４】
被写体の画像信号を生成するイメージセンサ及び該画像信号を表示する表示デバイスを備えた撮像装置に用いられる撮像処理方法において、
撮影モードに応じて前記表示デバイスの動作パラメータを切り替えるパラメータ切り替えステップを有し、
該パラメータ切り替えステップは、少なくとも、前記イメージセンサにより生成された画像信号に基づく前記表示デバイスによる画像表示を見栄え重視にする第１パラメータと、当該画像表示を再現性重視にする第２パラメータとに切り替え可能に構成されていることを特徴とする撮像処理方法。
【発明の詳細な説明】
【技術分野】
【０００１】
本発明は、撮像装置に関し、特に、撮影時の構図調整などに用いられる小型の表示デバイスを備えた撮像装置に関する。
【背景技術】
【０００２】
今日、ディジタルカメラやディジタルビデオカメラに代表される撮像装置が普及している。これら撮像装置の多くは、カラーのイメージセンサを備えており、イメージセンサで撮像された静止画又は動画像をディジタル画像信号に変換して、フラッシュメモリや磁気テープデバイス等の記録媒体に記録保持させたり、その記録データをパーソナルコンピュータ等の画像処理装置に取り込んだりして、画像の閲覧や画像の加工などを自在に行うことができることから、銀塩カメラにない高い利便性と可用性を持っている。
【０００３】
ところで、こうした撮像装置は、一部の廉価製品を除き、小型の表示デバイスを備えており、この表示デバイスを用いて撮影時の構図調整や撮影済み画像の確認を行えるようになっている。たとえば、カメラボディに小型（１．５型や２型程度）の液晶ディスプレイを装備したディジタルカメラの場合、撮影中のスルー画像を液晶ディスプレイに表示させて、その画像表示をファインダー代わりに使用することにより、構図調整を行うことができるようになっている。
【発明の開示】
【発明が解決しようとする課題】
【０００４】
しかしながら、上記のような小型の表示デバイスを備えた撮像装置にあっては、その表示デバイスの表示パラメータ（輝度レベルやコントラストレベル及びカラーレベルなど）が、小型の画像表示に適したもっぱら見栄え重視の設定に固定されているため、たとえば、その表示画像を見ながら、露出やホワイトバランスなどを手動で調節しようとした場合、実際に目に見える被写体像との違いが大きすぎるために、誤った調節を行ってしまうという問題点があった。
【０００５】
なお、見栄え重視の設定にする理由は、次のとおりである。すなわち、小型の表示デバイスの場合、その表示面積の小ささより、仮に、実際に目に見える被写体像に近い再現性のよい表示パラメータに設定したとしても、人間の目には階調や色の違いを判別しにくいために、むしろ画質が悪いと感じられる傾向があるからであり、意図的に階調や発色を強調しなければ、ユーザに画質の良さを訴えかけることができないからである。したがって、多くの撮像装置メーカでは、自社製品の市場での優位性を確保するために、そして、店頭などでの表示デバイスの画質比較に耐え得るようにするために、階調や発色を意図的に強調し、見た目重視の設定にせざるを得ないからである。
【０００６】
そこで、本発明は、小型の表示デバイスを備えた撮像装置において、店頭などにおける表示デバイスの画質比較に十分に耐え得るようにするとともに、且つ、実際に目に見える被写体像に近い再現性のよい画像表示も可能とし、以て、再現性のよい画像表示を用いることにより、露出やホワイトバランスなどの手動調節を適正に行えるようにした撮像装置を提供することを目的とする。
【課題を解決するための手段】
【０００７】
本発明は、被写体の画像信号を生成するイメージセンサ及び該画像信号を表示する表示デバイスを備えた撮像装置において、撮影モードに応じて前記表示デバイスの動作パラメータを切り替えるパラメータ切り替え手段を有し、該パラメータ切り替え手段は、少なくとも、前記イメージセンサにより生成された画像信号に基づく前記表示デバイスによる画像表示を見栄え重視にする第１パラメータと、当該画像表示を再現性重視にする第２パラメータとに切り替え可能に構成されていることを特徴とする。
本発明の好ましい態様は、前記パラメータ切り替え手段は、前記撮像装置の撮影条件を手動調節するマニュアル撮影モードの際に、前記第２パラメータに切り替えることを特徴とする。この態様では、露出やホワイトバランスなどの手動調節を行う際に、その確認に適した再現性のよい画像が表示デバイスに表示される。
また、本発明の好ましい態様は、前記パラメータ切り替え手段は、ストロボの発光を伴う撮影モードの際に、前記第１パラメータに切り替え、ストロボの発光を伴わない撮影モードの際に、前記第２パラメータに切り替えることを特徴とする。
【発明の効果】
【０００８】
本発明によれば、表示デバイスに表示する画像の画質を変化させるパラメータが、少なくとも、見栄え重視または再現性重視のいずれかに切り替えられる。したがって、見栄え重視にした場合は、表示デバイスの店頭などにおける画質比較に十分に耐え得ることができ、また、再現性重視にした場合は、実際に目に見える被写体像に近い画像表示にして、露出やホワイトバランスなどの手動調節を適正に行うことができる。
又は、好ましい態様によれば、露出やホワイトバランスなどの手動調節を行う際に、その確認に適した再現性のよい画像が表示デバイスに表示される。したがって、再現性の画像を確認しながら、露出やホワイトバランスなどを手動調節することができ、不適切な調節を回避することができる。
【発明を実施するための最良の形態】
【０００９】
以下、本発明の実施の形態を、ディジタルカメラを例にして、図面を参照しながら説明する。なお、以下の説明における様々な細部の特定ないし実例および数値や文字列その他の記号の例示は、本発明の思想を明瞭にするための、あくまでも参考であって、それらのすべてまたは一部によって本発明の思想が限定されないことは明らかである。また、周知の手法、周知の手順、周知のアーキテクチャおよび周知の回路構成等（以下「周知事項」）についてはその細部にわたる説明を避けるが、これも説明を簡潔にするためであって、これら周知事項のすべてまたは一部を意図的に排除するものではない。かかる周知事項は本発明の出願時点で当業者の知り得るところであるので、以下の説明に当然含まれている。
【００１０】
図１は、ディジタルカメラ１（発明の要旨に記載の撮像装置に相当）の背面斜視図である。図示のディジタルカメラ１は、特に限定しないが、本体部２と、この本体部２に回動可能に取り付けられたカメラ部３とに分かれている。カメラ部３の前面（図面の裏面側）には図示を略した写真レンズが装着されており、写真レンズの後ろにはカメラ部３の内に隠れたイメージセンサ（ＣＣＤ）が取り付けられている。このイメージセンサは、後述の記録モードの際に、写真レンズから取り込まれた被写体像を映像信号に変換し、画素数に応じた高解像度の周期的な画像信号（フレーム画像信号）を出力するものである。
【００１１】
本体部２の裏面には、画像（構図調整のためのスルー画像や記録済みのキャプチャー画像）を表示するためのタッチパネル付小型平面表示装置４が取り付けられているほか、その上面に、半押しで露出固定、全押しで画像のキャプチャを行うシャッターキー５を始めとする各種の操作キー、例えば、プラス方向への選択操作を行うためのプラスキー６、マイナス方向への選択操作を行うためのマイナスキー７、各種システム設定を行うためのメニューキー８、ディジタルカメラ１の電源をオンオフするための電源スイッチ９、タッチパネル付小型平面表示装置４に様々な情報をオーバラップ表示させるためのディスプレイキー１０、通常撮影やパノラマ撮影などの記録モードを選択するための記録モードキー１１、セルフタイマー機能をオンオフするためのセルフタイマーキー１２、ストロボ機能のオンオフや強制発光及び赤目防止機能のオンオフを行うためのストロボモードキー１３などが設けられ、さらに、本体部２の裏面に記録モードと再生モードを切替えるためのＲＥＣ／ＰＬＡＹキー１４が設けられ、且つ、本体部２の側面等の任意位置に外部インターフェース用のコネクタ１５が設けられている。
【００１２】
図２は、ディジタルカメラ１のブロック図である。図示のディジタルカメラ１は、その機能から、被写体の画像信号を生成する画像生成系１６、画像信号を一時的に保存して再生処理やその他の加工処理などに便宜を図る一時保存記憶系１７、キャプチャ画像を長期保存する長期保存記憶系１８、撮影時の構図確認や再生画像を表示したりする画像表示系１９、一時保存記憶系１７又は長期保存記憶系１８に記憶した画像信号をコネクタ１５を介して外部に出力したり外部から取り込んだりする通信系２０、長期保存記憶系１８に保存する際に画像信号を圧縮処理したり長期保存記憶系１８から読み出された画像信号を伸張処理したりする圧縮・伸張処理系２１、ディジタルカメラ１の動作全体を制御する制御系２２、及び、データ転送系２３などに分けることができ、以下、それぞれの系毎に構成を説明する。
【００１３】
画像生成系１６は、被写体像をイメージセンサで電気信号に変換し、この電気信号から所定周期の画像信号を生成して出力するもので、本実施の形態ではカラーの画像信号を生成しているが、モノクロの画像信号であっても構わない。画像生成系１６は、写真レンズや絞り機構を含む光学系２８、光学系２８を通過した被写体からの光を電気信号に変換して所定周期のフレーム画像信号を出力するイメージセンサ（以下ＣＣＤ）２９、ＣＣＤ２９を駆動するためのドライバ３０、ＣＣＤ２９の撮像時間（電子的なシャッタ時間）を制御する信号などの各種タイミング信号を発生するタイミング発生器３１、ＣＣＤ２９から出力されたフレーム画像信号をングしてノイズを除去するサンプルホールド回路３２、ノイズ除去後のフレーム画像信号をディジタル信号に変換するアナログディジタル変換器３３を含み、さらに、アナログディジタル変換器３３からの出力を用いて輝度・色差合成信号（以下「ＹＵＶ信号」ということもある）、すなわち、カラーの画像信号を生成するカラープロセス回路３４、及び、このカラープロセス回路３４の動作パラメータ（輝度レベルやコントラストレベル及びカラーレベルなど）を設定するパラメータ設定回路３５などを含む。カラープロセス回路３４及びパラメータ設定回路３５は、後述のＣＰＵ４０とともに、発明の要旨に記載のパラメータ切り替え手段を構成する。
【００１４】
一時保存記憶系１７は、書き換え可能な記憶媒体（例えば、ＤＲＡＭやＳＲＡＭなどの半導体メモリ）で構成された所定記憶容量のバッファメモリ３７を含み、このバッファメモリ３７は、少なくとも、データ転送系２３を介して画像生成系１６から取り込まれた画像信号、又は、データ転送系２３を介して通信系２０から取り込まれた画像信号、若しくは、データ転送系２３を介して長期保存記憶系１８から取り込まれた画像信号を展開できる充分な大きさ（記憶容量）のバッファ領域を備える。このバッファ領域は、少なくとも１枚の静止画を一時保存できる程度の大きさを持つが、動画の撮影や再生が可能な場合は、その動画を構成する複数の画像を一時保存できる程度の大きさを持つ。静止画用のバッファ領域と動画用のバッファ領域は一部が重複していても各々が独立していても構わない。
【００１５】
長期保存記憶系１８は、書き換え可能な不揮発性記憶媒体、例えば、フラッシュメモリ３９で構成されており、このフラッシュメモリ３９は、圧縮・伸張処理系２１で圧縮処理された所定形式の画像ファイル（一般に静止画の場合はＪＰＥＧ形式の圧縮画像ファイル）を数十ないし数百個記憶できる容量を持つ。なお、フラッシュメモリ３９は取り外し可能な形状（例えば、カード型）になっていてもよい。
【００１６】
画像表示系１９は、画像生成系１６から所定周期で出力される画像信号を構図確認のために再生表示（いわゆるスルー画像表示）したり、フラッシュメモリ３９に記録済みの画像や通信系２０を介して外部から取り込まれた画像を再生表示したりするもので、再生画像の大きさを表示サイズに変換したりするディジタルビデオエンコーダ４２、ディジタルビデオエンコーダ４２からの出力を画面上に表示するカラーの液晶ディスプレイ４３（発明の要旨に記載の表示デバイスに相当）、液晶ディスプレイ４３の表示画面上のタッチ座標を検出するタッチパネル４４、タッチパネル４４の出力信号を所定の形式に変換して制御系２２に出力するタッチパネルＩ／Ｆ（インターフェース）４５などを含み、液晶ディスプレイ４３とタッチパネル４４は、図１のタッチパネル付小型平面表示装置４を構成する。
【００１７】
通信系２０は、外部の画像処理機器（たとえば、パーソナルコンピュータなど）との間で光学通信、無線通信又は有線通信によるデータの授受を行うための通信部４６を含む。通信部４６の構成はその通信方式に依存し、例えば、公衆電話回線を介して外部の情報処理端末などに接続する場合は、モデムを備えた電話端末相当の構成を有する。
【００１８】
圧縮・伸張処理系２１は、バッファメモリ３７に保存された画像信号を所定のフォーマットで圧縮処理し、また、フラッシュメモリ３９に保存された圧縮画像ファイルを同フォーマットで伸張処理する。ちなみに、静止画の場合の圧縮・伸長フォーマット標準はＪＰＥＧ（Joint Photographic Experts Group）である。
【００１９】
制御系２２は、所定の制御プログラムを実行してディジタルカメラ１の動作全体を制御するＣＰＵ４０、及び、シャッターキー５をはじめとする各種キー（図１の符号５〜１４参照）の操作に応答して所要のキー操作信号を発生し、そのキー操作信号をＣＰＵ４０に出力するキー入力部４１を含む。
【００２０】
データ転送系２３は、各系間のデータの流れを調停するビデオトランスファー回路３６、及び、各系間を接続するバス（データバス、アドレスバス及びコントロールラインの総称）４７を含む。
【００２１】
図３は、カラープロセス回路３４の構成図、図４は、パラメータ設定回路３５の構成図である。図３において、カラープロセス回路３４は、アナログディジタル変換器３３によってディジタル信号に変換されたカラービデオ信号の輝度成分（Ｙ）と色成分（Ｃ）の分離を行うＹ／Ｃ分離部３４ａと、輝度成分の高周波成分を補って輪郭強調などの画質調整を行う画質調整部３４ｂと、輝度信号の振幅を調整するとともにその輝度信号に応じたコントラスト調整を行うコントラスト調整部３４ｃと、容量結合等によって失われた輝度信号のペデスタル成分（ＤＣ成分）を補うペデスタル・クランプ・ブライト調整部３４ｄと、色信号の基準信号（バースト信号）のレベル変化に応じて色信号の利得調整（Auto Color Control）を行うＡＣＣ部３４ｅと、ＲＧＢの色信号バランスを補正するカラーコントロール部３４ｆと、色信号復調キャリア信号の位相を制御するＡＰＣ（Auto Phase Control）部３４ｇと、色信号復調キャリア信号を発生するＶＣＯ（電圧制御発振器）部３４ｈと、色信号の鮮やかさを調整するティント部３４ｉと、色復調キャリアを用いて色差信号（Ｒ−Ｙ，Ｂ−Ｙ）やＩ，Ｑ信号を復調する色復調部３４ｊと、色差信号に輝度信号（Ｙ）を加算してＲ．Ｇ．Ｂ信号を発生するＲＧＢマトリクス部３４ｋとを備える。
【００２２】
ここで、図示のカラープロセス回路３４は、特に限定しないが、ＩＣチップ化された実装部品であり、回路内部の動作パラメータのいくつかを、外部から設定できるようになっている。たとえば、図中に示す“Ｖａ”、“Ｖｂ”及び“Ｖｃ”は、外部パラメータ設定値であり、それぞれ、輝度レベル設定値（Ｖａ）、コントラストレベル設定値（Ｖｂ）、カラーレベル設定値（Ｖｃ）である。
【００２３】
図４に示すパラメータ設定回路３５は、これらの設定値（Ｖａ〜Ｖｃ）を生成するための回路である。すなわち、パラメータ設定回路３５は、上記設定値ごとのＲＣ積分回路を備えており、固定抵抗３５ａと容量３５ｂからなる第１の積分回路は、ＣＰＵ４０から出力される輝度レベル制御用周期信号Ｄａの周期長Ｔａに応じた積分電圧を容量３５ｂに蓄積し、その積分電圧を輝度レベル設定値（Ｖａ）としてカラープロセス回路３４に出力する。また、同様に、固定抵抗３５ｃと容量３５ｄからなる第２の積分回路は、ＣＰＵ４０から出力されるコントラストレベル制御用周期信号Ｄｂの周期長Ｔｂに応じた積分電圧を容量３５ｄに蓄積し、その積分電圧をコントラストレベル設定値（Ｖｂ）としてカラープロセス回路３４に出力する。さらに、同様に、固定抵抗３５ｅと容量３５ｆからなる第３の積分回路は、ＣＰＵ４０から出力されるカラーレベル制御用周期信号Ｄｃの周期長Ｔｃに応じた積分電圧を容量３５ｆに蓄積し、その積分電圧をカラーレベル設定値（Ｖｃ）としてカラープロセス回路３４に出力する。
【００２４】
このような構成のパラメータ設定回路３５によれば、ＣＰＵ４０から出力される各制御用周期信号の周期長を変えることにより、各制御用周期信号の振幅（図では＋３Ｖ）に近い大きな電圧から、ほぼ０Ｖ相当の小さな電圧までの間で積分電圧を無段階に可変設定することができ、カラープロセス回路３４の輝度レベル、コントラストレベル及びカラーレベルの各々のパラメータを個別にコントロールすることができる。
【００２５】
次に、作用を説明する。
図５は、制御系２２で実行される制御プログラムの全体的な概略を示すフローチャートである。このプログラムは、電源を投入したとき（図１の電源スイッチ９をオンにしたとき）に実行を開始し、まず、ステップＳ１で動作チェックなどの初期設定を行った後、ステップＳ２でＲＥＣ／ＰＬＡＹキー１４の設定動作モード（記録モードや再生モード）を判定し、その判定結果に応じた分岐処理（ステップＳ３の記録モード処理やステップＳ４の再生モード処理）を実行するという動作を繰り返す。なお、システム設定モードなど他の動作モードもあるが、説明の簡単化のために、ここでは省略する。
【００２６】
図６は、記録モード処理プログラムのフローチャートを示す図である。
このフローチャートを開始すると、まず、ステップＳ１１でＣＣＤ画像、すなわち、画像生成系１６からの画像信号を読み込み、次に、ステップＳ１２で撮影モードがマニュアル撮影モードになっているか否かを判定する。
【００２７】
ここで、マニュアル撮影モードとは、露出やホワイトバランスなどをユーザの好みに合わせて手動で調節できるモードである。マニュアル撮影モードに設定されている場合は、ステップＳ１２の判定結果は“ＹＥＳ”となり、そうでない場合、すなわち、露出やホワイトバランスなどを自動で設定するオート撮影モードになっている場合はステップＳ１２の判定結果は“ＮＯ”となる。次に、このステップＳ１２の判定結果に応じて、液晶ディスプレイ４３に表示するスルー画像の見え方に関する設定値変更を行う。具体的には、オート撮影モードになっている場合は、ステップＳ１３で、スルー画像を表示中の液晶ディスプレイ４３の画面（以下「モニタ画面」という。）について、その表示条件（上記の“スルー画像の見え方に関する設定値”のこと。）を“見栄え重視”にする一方、マニュアル撮影モードになっている場合は、ステップＳ１４で、モニタ画面の表示条件を“再現性重視”に設定する。
【００２８】
上記の用語（見栄え重視と再現性重視）について、以下のとおり定義する。まず、見栄え重視とは、小さな表示面積の液晶ディスプレイ４３に画像を表示したときに、その表示面積の小ささからもたらされる見た目の画質（輝度レベルやコントラストレベル及びカラーレベルなど）の悪さを回避するために、意図的に輝度レベルやコントラストレベル及びカラーレベルなどを強調することをいい、要するに、他のディジタルカメラとの比較に耐えうる良好な画像を得られるような所要の加工を施すことをいう。そのためには、たとえば、多数の被験者から見て良好な画質であると認められるような設定を試行錯誤的に見い出して、それを“見栄え重視”の設定値とすればよい。これに対して、再現性重視とは、実際に目に見える被写体像、たとえば、直視的被写体像や光学的ファインダーを通して見える被写体像にもっとも近い画像のことをいい、上記と同様に、たとえば、多数の被験者から見て実際の被写体像に近い画質であると認められるような設定を試行錯誤的に見い出して、それを“再現性重視”の設定値とすればよい。
【００２９】
このように、モニタ画面の表示条件を設定すると、次に、ステップＳ１５で、画像生成系１６から読み込んだ画像信号を画像表示系１９に表示する。この表示画像はスルー画像であり、且つ、その表示条件は、オート撮影モードであれば“見栄え重視”、マニュアル撮影モードであれば“再現性重視”である。ユーザは、このスルー画像を見ながら構図を調節し、又は、マニュアル撮影モードに設定されている場合は、その“再現性重視”のスルー画像を用いて露出やホワイトバランスなどを調節する。
【００３０】
しかる後、ステップＳ１６でシャッターキー５の半押しを検出すると、ステップＳ１７でそのときの被写体の明るさに応じた露出で光学系２８の絞り開度を固定し（オート撮影モードの場合である。マニュアル撮影モードの場合はユーザ設定値で固定する。）、ステップＳ１８でシャッターキー５の全押しを検出すると、ステップＳ１９でそのときのＣＣＤ画像を圧縮処理してフラッシュメモリ３９に記録（キャプチャ）する。
【００３１】
上記のとおり、ステップＳ１５で、液晶ディスプレイ４３に表示されるスルー画像は、オート撮影モードの場合は“見栄え重視”、マニュアル撮影モードの場合は“再現性重視”であるが、このような表示条件の設定は、以下のようにして行われる。
【００３２】
まず、ＣＰＵ４０は、上記のステップＳ１２の判定結果に応じてステップＳ１３又はステップＳ１４のいずれか一方を実行する。ステップＳ１３を実行した場合、ＣＰＵ４０は、パラメータ設定回路３５に与える各種制御用周期信号（Ｄａ〜Ｄｃ）の周期長（Ｔａ〜Ｔｃ）の設定値を“見栄え重視”の値（発明の要旨に記載の第１パラメータに相当）にセットする。あるいは、ステップＳ１４を実行した場合、ＣＰＵ４０は、パラメータ設定回路３５に与える各種制御用周期信号（Ｄａ〜Ｄｃ）の周期長（Ｔａ〜Ｔｃ）の設定値を“再現性重視”の値（発明の要旨に記載の第２パラメータに相当）にセットする。
【００３３】
パラメータ設定回路３５は、見栄え重視又は再現性重視にセットされた各種制御用周期信号（Ｄａ〜Ｄｃ）を受け取り、各信号の周期長（Ｔａ〜Ｔｃ）に対応した電位を持つ輝度レベル設定値（Ｖａ）、コントラストレベル設定値（Ｖｂ）及びカラーレベル設定値（Ｖｃ）を生成し、カラープロセス回路３４の各部、すなわち、ペデスタル・クランプ・ブライト調整部３４ｄ、コントラスト調整部３４ｃ及びカラー・コントロール部３４ｆに出力することにより、カラープロセス回路３４から取り出されるＹＵＶ信号（Ｒ・Ｇ・Ｂ画像信号）の画質を“見栄え重視”又は“再現性重視”に設定する。
【００３４】
したがって、以上説明した実施の形態によれば、オート撮影モードの場合には、液晶ディスプレイ４３に表示されるスルー画像を“見栄え重視”にすることができ、その表示面積の小ささに関わらず、見た目に良好な画質のスルー画像を表示させて、市場での優位性を確保でき、且つ、店頭などでの他製品との画質比較に耐えうる技術を提供することができるとともに、さらに、マニュアル撮影モードの場合には、液晶ディスプレイ４３に表示されるスルー画像を“再現性重視”にすることができるから、露出やホワイトバランスの調節を正確に行うこともできるという従来技術にない特有の効果を得ることができる。もちろんパラメータの設定を“見栄え重視”、“再現性重視”としたがこれに限らず複数の設定されたパラメータ（第３パラメータ、第４パラメータ…というように）を切り換えるようにしても良いことは言うまでもない。
【００３５】
また、例えば、ステップＳ１２の判定でストロボ撮影か否かの判定結果を行い、ストロボ撮影（ストロボ発光）なら“ＹＥＳ”となり、ステップＳ１４でモニタ画面を“見栄え重視”の明るい設定にし、ストロボ撮影で無い（ストロボ発光しない）なら“ＮＯ”となり、ステップＳ１３でモニタ画面を実際の被写体像に近いような“再現性重視”に設定する。以上のようにすることで、通常ストロボを発光して撮影する場合に暗かったりして被写体が見えにくく構図を決めにくかったが、“見栄え重視”に設定することで被写体が明るく見やすくなり構図を決めることが容易にできる。
さらに、上記実施の形態で、ステップＳ１３で“見栄え重視”やステップＳ１４で“再現性重視”とモニタ画面の表示条件を設定しているが、ステップＳ１５でのスルー表示になった時に、ユーザーが今、どのような表示条件になっているのか一目でわかるようにスルー表示に重ねて文字やマーク、記号などで現在の表示条件を重ねて表示することで使い勝手を向上することができる。
【００３６】
なお、本発明は、上記の実施の形態に限定されるものではなく、その技術思想の範囲内において、様々な変形例を含むことはもちろんである。
たとえば、設定モードで、スルー画像の画質（見栄え重視／再現性重視）を自由に変更できるようにしておいてもよい。
図７（ａ）は、設定モード処理プログラムの要部フローチャートを示す図である。この設定モード処理では、ディジタルカメラ１の動作に関する様々な設定値変更、たとえば、記録画像の精細度、オートフォーカスのオンオフ、動画撮影の撮影時間など、そのディジタルカメラ１の仕様に応じた様々な設定値変更を行うが、この変形例では、特に、図中のステップＳ６に示すように、液晶ディスプレイ４３に表示するスルー画像の見え方に関する設定値変更を行うルーチンを有する点に特徴がある。
【００３７】
すなわち、このステップＳ６では、まず、スルー画像を表示中の液晶ディスプレイ４３の画面（モニタ画面）について、その表示条件（上記の“スルー画像の見え方に関する設定値”のこと。）の設定変更を行うか否かを判定する（ステップＳ６ａ）。この判定は、たとえば、メニューキー８などの押し下げ操作を検出して行ってもよい。この場合、メニューキー８などの押し下げ操作が検出されなければ（判定結果が“ＮＯ”）他の設定処理を行うが、メニューキー８などの押し下げ操作が検出されれば（判定結果が“ＹＥＳ”）、所定の設定画面を液晶ディスプレイ４３に表示して（ステップＳ６ｂ）ユーザ選択を待ち、ユーザによって選択された表示条件を保持する（ステップＳ６ｃ）という流れになる。ここでユーザによって選択される表示条件はもちろん複数可能であり複数保持できる。
【００３８】
図７（ｂ）は、ステップＳ６ｂで液晶ディスプレイ４３に表示する設定画面５０の一例である。設定画面５０は、所定の操作案内文字列（図では“モニタ画面の表示条件を選択してください”）の表示エリア５０ａを有するとともに、二つの選択可能なオブジェクト５０ｂ、５０ｃを有する。それぞれのオブジェクト５０ｂ、５０ｃには、設定可能な表示条件を適切に表したタイトル文字列が与えられており、具体的には、第１のオブジェクト５０ｂには“見栄え重視”というタイトル文字列が、また、第２のオブジェクト５０ｃには“再現性重視”というタイトル文字列が与えられている。
【００３９】
ユーザは、液晶ディスプレイ４３に表示するスルー画像の見え方について、見栄え重視を希望する場合は、第１のオブジェクト５０ｂを選択（タッチパネル４４へのタッチ動作）し、一方、再現性重視を希望する場合は、第２のオブジェクト５０ｃを選択する。ＣＰＵ４０は、第１のオブジェクト５０ｂの選択動作に応答して、パラメータ設定回路３５に与える各種制御用周期信号（Ｄａ〜Ｄｃ）の周期長（Ｔａ〜Ｔｃ）の設定値を見栄え重視の値にして保持し、また、第２のオブジェクト５０ｃの選択動作に応答して、パラメータ設定回路３５に与える各種制御用周期信号（Ｄａ〜Ｄｃ）の周期長（Ｔａ〜Ｔｃ）の設定値を再現性重視の値にして保持する。
【００４０】
したがって、この変形例によれば、設定モードで第１のオブジェクト５０ｂを選択した場合は、それ以降、液晶ディスプレイ４３に表示されるスルー画像を“見栄え重視”にすることができ、その表示面積の小ささに関わらず、見た目に良好な画質のスルー画像を表示させて、市場での優位性を確保でき、且つ、店頭などでの他製品との画質比較に耐えうる技術を提供することができる一方、設定モードで第２のオブジェクト５０ｃを選択した場合は、それ以降、液晶ディスプレイ４３に表示されるスルー画像を“再現性重視”にすることができ、実際に目に見える被写体像との違いを少なくして違和感をなくすことができるというメリットが得られる。
【００４１】
なお、以上の説明では、カラープロセス回路３４の動作パラメータを制御することにより、液晶ディスプレイ４３に表示するスルー画像の画質を見栄え重視と再現性重視とに切り替えているが、この実施態様に限定されない。要は、最終的にスルー画像の画質が変化すればよく、たとえば、画像表示系１９の各部、すなわち、ディジタルビデオエンコーダ４２の動作パラメータを変更したり、あるいは、液晶ディスプレイ４３の動作パラメータを直接操作したりしてもよい。
【図面の簡単な説明】
【００４２】
【図１】ディジタルカメラ１の背面斜視図である。
【図２】ディジタルカメラ１のブロック図である。
【図３】カラープロセス回路３４の構成図である。
【図４】パラメータ設定回路３５の構成図である。
【図５】制御系２２で実行される制御プログラムの全体的な概略を示すフローチャートである。
【図６】記録モード処理プログラムのフローチャートを示す図である。
【図７】設定モード処理プログラムの要部フローチャート及び設定画面５０の一例を示す図である。
【符号の説明】
【００４３】
１  ディジタルカメラ（撮像装置）
２９  ＣＣＤ（イメージセンサ）
３４  カラープロセス回路（パラメータ切り替え手段）
３５  パラメータ設定回路（パラメータ切り替え手段）
４０  ＣＰＵ（パラメータ切り替え手段）
４３  液晶ディスプレイ（表示デバイス）
【図１】
0004506768.tif 000002
【図２】
0004506768.tif 000003
【図３】
0004506768.tif 000004
【図４】
0004506768.tif 000005
【図５】
0004506768.tif 000006
【図６】
0004506768.tif 000007
【図７】
0004506768.tif 000008